(57)【要約】  分包薬のトレーサビリティが可能な薬剤管理システム、薬剤分包装置、薬剤分包監査装置、分包袋及び薬剤管理方法を提供する。調剤薬局２０等に設けられた薬剤分包装置２２−１のラベルプリンタ２２Ｄは、発番サーバにより一包ずつ発番された世界で唯一のユニーク識別情報をラベルに印刷し、そのラベルを薬剤分包部２２Ｂにより薬剤が分包された分包袋に貼付する。調剤薬局２０は、ユニーク識別情報が付加された分包薬の少なくとも薬剤情報を、ユニーク識別情報に関連付けてクラウドサーバ１０にアップロードする。クラウドサーバ１０は、調剤薬局２０等からアップロードされた分包薬の薬剤情報を、ユニーク識別情報に関連付けて一元管理する。分包袋に付加されたユニーク識別情報に基づいてクラウドサーバ１０に問い合わせることにより、分包薬のトレーサビリティが可能になる。
2018221167.tif 000002
【特許請求の範囲】
【請求項１】
一つ以上の施設により一包化された分包薬を一包ずつ一元管理する薬剤管理システムであって、
前記分包薬を一包ずつ一意に特定するユニーク識別情報と少なくとも前記ユニーク識別情報に対応する分包薬の薬剤情報とを関連付けて管理するクラウドサーバと、
前記施設に設置され、処方データにしたがって一回に服用する薬剤を分包袋に収納して一包化する薬剤分包部と、
前記クラウドサーバに設置され、又は前記施設に設置され、前記ユニーク識別情報を発番する発番部と、
前記発番部により発番された前記ユニーク識別情報を前記分包袋に付加する情報付加部と、
前記ユニーク識別情報に関連付けて少なくとも前記分包袋に収納された分包薬の薬剤情報を前記クラウドサーバにアップロードする通信部と、
を備えた薬剤管理システム。
【請求項２】
前記情報付加部は、前記ユニーク識別情報又は前記ユニーク識別情報を示すバーコードを前記分包袋に付加し、前記ユニーク識別情報もしくは前記ユニーク識別情報を示すバーコードを付加したラベルを前記分包袋に貼付し、又は前記分包袋に付加された電子タグに前記ユニーク識別情報を記録する請求項１に記載の薬剤管理システム。
【請求項３】
前記情報付加部は、前記分包薬の患者情報、服用時期及び薬剤情報のうちの少なくとも服用時期を前記分包袋に更に付加する請求項１又は２に記載の薬剤管理システム。
【請求項４】
前記通信部は、前記ユニーク識別情報に関連付けて前記処方データに記載された情報を前記クラウドサーバにアップロードし、
前記クラウドサーバは、前記ユニーク識別情報に関連付けて前記処方データに記載された情報を更に管理する請求項１から３のいずれか１項に記載の薬剤管理システム。
【請求項５】
前記分包薬を、前記分包袋に収納して一包化する前又は一包化した後に撮像する撮像部と、
前記撮像部により撮像された分包薬の画像に基づいて前記分包薬が前記処方データに対応する薬剤か否かを薬剤師が確認可能に支援する薬剤監査部と、
を備えた請求項１から４のいずれか１項に記載の薬剤管理システム。
【請求項６】
前記通信部は、前記分包薬が、前記処方データに対応する薬剤であることが薬剤師により確認されると、前記ユニーク識別情報に関連付けて前記分包薬の薬剤情報として薬剤文字または記号情報と前記薬剤監査部での監査に使用された前記画像とを前記クラウドサーバにアップロードし、
前記クラウドサーバは、前記ユニーク識別情報に関連付けて前記分包薬の薬剤情報及び前記画像を管理する請求項５に記載の薬剤管理システム。
【請求項７】
前記クラウドサーバにアクセス可能なクライアント端末であって、前記分包袋に付加された前記ユニーク識別情報を読み取る情報読取部と、前記情報読取部により読み取った前記ユニーク識別情報に基づいて少なくとも前記分包袋に収納された分包薬の薬剤情報を、前記クラウドサーバから取得する薬剤情報取得部とを有するクライアント端末を、更に備えた、
請求項１から６のいずれか１項に記載の薬剤管理システム。
【請求項８】
前記ユニーク識別情報は、ＧＳ１識別コードである請求項１から６のいずれか１項に記載の薬剤管理システム。
【請求項９】
請求項１から８のいずれか１項に記載の薬剤管理システムを構成するクラウドサーバ。
【請求項１０】
一つ以上の施設に設置される薬剤分包装置であって、
処方データにしたがって一回に服用する薬剤を分包袋に収納して一包化する薬剤分包部と、
前記施設により一包化される分包薬に対し、一包ずつ一意に特定するユニーク識別情報を発番する発番部から前記ユニーク識別情報を取得するユニーク識別情報取得部と、
前記ユニーク識別情報取得部が取得した前記ユニーク識別情報を前記分包袋に付加する情報付加部と、
前記ユニーク識別情報に関連付けて少なくとも前記分包袋に収納された分包薬の薬剤情報を、前記施設により一包化された分包薬を一包ずつ一元管理するクラウドサーバにアップロードする通信部と、
を備えた薬剤分包装置。
【請求項１１】
一つ以上の施設に設置される薬剤分包装置であって、
処方データにしたがって一回に服用する薬剤を分包袋に収納して一包化する薬剤分包部を備えた薬剤分包装置と、
前記薬剤分包装置により一包化される分包薬に対し、一包ずつ一意に特定するユニーク識別情報を発番する発番装置と、から構成され、
前記薬剤分包装置及び発番装置のうちの少なくとも一方は、
前記薬剤分包装置により一包化される分包薬に対し、前記発番装置から発番された前記ユニーク識別情報を前記分包袋に付加する情報付加部と、
前記ユニーク識別情報に関連付けて少なくとも前記分包袋に収納された分包薬の薬剤情報を、前記施設により一包化された分包薬を一包ずつ一元管理するクラウドサーバにアップロードする通信部と、
を備えた薬剤分包装置。
【請求項１２】
前記情報付加部は、前記ユニーク識別情報又は前記ユニーク識別情報を示すバーコードを前記分包袋に付加し、前記ユニーク識別情報もしくは前記ユニーク識別情報を示すバーコードを付加したラベルを前記分包袋に貼付し、又は前記分包袋に付加された電子タグに前記ユニーク識別情報を記録する請求項１０又は１１に記載の薬剤分包装置。
【請求項１３】
前記情報付加部は、前記分包薬の患者情報、服用時期及び薬剤情報のうちの少なくとも服用時期を前記分包袋に更に付加する請求項１０から１２のいずれか１項に記載の薬剤分包装置。
【請求項１４】
前記通信部は、前記ユニーク識別情報に関連付けて前記処方データを前記クラウドサーバにアップロードする請求項１０から１３のいずれか１項に記載の薬剤分包装置。
【請求項１５】
請求項１０から１４のいずれか１項に記載の薬剤分包装置により一回に服用する薬剤が収納された分包袋であって、少なくとも前記ユニーク識別情報が付加された分包袋。
【請求項１６】
前記ユニーク識別情報は、ＧＳ１識別コードである請求項１５に記載の分包袋。
【請求項１７】
請求項１０から１４のいずれか１項に記載の薬剤分包装置と、
前記分包薬を、前記分包袋に収納して一包化する前又は一包化した後に撮像する撮像部と、
前記撮像部により撮像された薬剤の画像と前記処方データとに基づいて前記分包薬が、前記処方データに対応する薬剤か否かを薬剤師が確認可能に支援する薬剤監査部と、
を備えた薬剤分包監査装置。
【請求項１８】
前記通信部は、前記分包袋に収納された薬剤が前記処方データに対応する薬剤であることが薬剤師により確認されると、前記ユニーク識別情報に関連付けて前記分包薬の薬剤情報と前記薬剤監査部での監査に使用された前記画像とを前記クラウドサーバにアップロードする請求項１７に記載の薬剤分包監査装置。
【請求項１９】
一つ以上の施設に設置される薬剤分包装置と一包化薬剤監査装置とにより構成された薬剤分包監査装置であって、
前記薬剤分包装置は、処方データにしたがって一回に服用する薬剤を分包袋に収納して一包化する薬剤分包部を備え、
前記一包化薬剤監査装置は、
前記施設により一包化される分包薬に対し、一包ずつ一意に特定するユニーク識別情報を発番する発番部から前記ユニーク識別情報を取得するユニーク識別情報取得部と、
前記ユニーク識別情報取得部が取得した前記ユニーク識別情報を、前記分包袋に付加する情報付加部と、
前記ユニーク識別情報に関連付けて少なくとも前記分包袋に収納された分包薬の薬剤情報を、前記施設により一包化された分包薬を一包ずつ一元管理するクラウドサーバにアップロードする通信部と、
前記薬剤分包装置が、前記分包薬を、前記分包袋に収納して一包化する前又は一包化した後に撮像する撮像部と、
前記撮像部により撮像された薬剤の画像と前記処方データとに基づいて前記分包薬が、前記処方データに対応する薬剤か否かを薬剤師が確認可能に支援する薬剤監査部と、
を備えた薬剤分包監査装置。
【請求項２０】
前記通信部は、前記分包袋に収納された薬剤が前記処方データに対応する薬剤であることが薬剤師により確認されると、前記ユニーク識別情報に関連付けて前記分包薬の薬剤情報と前記薬剤監査部での監査に使用された前記画像とを前記クラウドサーバにアップロードする請求項１９に記載の薬剤分包監査装置。
【請求項２１】
請求項１７から２０のいずれか１項に記載の薬剤分包監査装置により一回に服用する薬剤が収納された分包袋であって、少なくとも前記ユニーク識別情報が付加された分包袋。
【請求項２２】
前記ユニーク識別情報は、ＧＳ１識別コードである請求項２１に記載の分包袋。
【請求項２３】
一つ以上の施設に設置された薬剤分包部が、処方データにしたがって一回に服用する薬剤を分包袋に収納して一包化するステップと、
発番部が、前記分包袋に収納された分包薬を一包ずつ一意に特定するユニーク識別情報を発番するステップと、
情報付加部が、前記発番された前記ユニーク識別情報を前記分包袋に付加するステップと、
通信部が、前記ユニーク識別情報に関連付けて少なくとも前記分包袋に収納された分包薬の薬剤情報をクラウドサーバにアップロードするステップと、を含み、
前記クラウドサーバにより前記施設により一包化された分包薬を一包ずつ一元管理する薬剤管理方法。
【請求項２４】
前記クラウドサーバにアクセス可能なクライアント端末であって、前記分包袋に付加された前記ユニーク識別情報を読み取る情報読取部と、前記情報読取部により読み取った前記ユニーク識別情報に基づいて少なくとも前記分包袋に収納された分包薬の薬剤情報を、前記クラウドサーバから取得する薬剤情報取得部とを備え、利用する医師、薬剤師、看護師、服用者、及びその他のユーザを含むアクセス者に応じて情報の閲覧の制限をかける請求項２３に記載の薬剤管理方法。
【発明の詳細な説明】
【技術分野】
【０００１】
本発明は薬剤管理システム、クラウドサーバ、薬剤分包装置、薬剤分包監査装置、分包袋及び薬剤管理方法に係り、特に分包薬を一元管理する技術に関する。
【背景技術】
【０００２】
近年、服用者が一回に服用する複数の薬剤を一つの分包袋に収納して一包化する一包化調剤が増加している。【０００３】
特許文献１には、一回の服用時期に対応する分包薬（薬包）が複数存在する場合における漏れのない薬包の服用を支援することが可能な配薬支援システムが提案されている。【０００４】
特許文献１に記載の配薬支援システムは、薬局の薬品分包装置及びプリンタ等と、介護老人保健施設（老健施設）の配薬支援装置及び携帯端末等とにより構成されている。【０００５】
薬局の薬品分包装置は、老健施設の入居者に対して処方データにしたがって一包化調剤を行い、薬包には一包ずつプリンタにより薬包コードを印字する。ここで、薬包コードは、薬包を識別可能な識別データであり、具体的には薬包番号、入居者ＩＤ（identification）、入居者名称、服用時期などの情報を含む一次元コード又は二次元コードなどである。【０００６】
老健施設の配薬支援装置は、老健施設に入居している入居者について入居者ＩＤ、入居者名、顔画像、病歴、又は薬歴などの情報を含む入居者マスタが記憶されているデータ記憶部を備えている。老健施設の配薬担当者は、自己の携帯端末で薬包に印字されている薬包コードを読み取ることにより、配薬支援装置から薬包コードに対応する情報を取得し、携帯端末の画面に入居者名及び顔画像を表示して薬包コードが示す入居者を照合することが可能であり、また、服用時期の確認が可能である。これにより、配薬担当者による配薬作業の効率化及び配薬作業における投薬ミスの抑制が図られている。
【先行技術文献】
【特許文献】
【０００７】
【特許文献１】特開２０１６−１７９１６１号公報
【発明の概要】
【発明が解決しようとする課題】
【０００８】
特許文献１に記載の配薬支援システムは、分包薬（薬包）に薬包コードを印字し、薬包を一包ずつ識別可能にしているが、この薬包コードは、薬包番号、入居者ＩＤ、入居者名称、服用時期コード、服用時期などの情報を含む一次元コード又は二次元コードである。尚、薬包番号は、薬品分包装置を識別可能な号機番号と薬包であることを識別可能な薬種番号とを含む予め設定される３桁の数字であり、薬包を一意に特定するユニークＩＤではない。【０００９】
また、特許文献１に記載の配薬支援システムは、老健施設に代表される複数の服用者に対する配薬を支援するシステムであり、一包化された分包薬（薬包）の薬剤情報に関するトレーサビリティを可能にするものではない。【００１０】
本発明はこのような事情に照らし合わせてなされたもので、一包化された分包薬の薬剤情報を時間や場所にかかわらず簡単に入手することができ、さらに不特定の施設でそれぞれ一包化された分包薬に対しても、トレーサビリティが可能な薬剤管理システム、クラウドサーバ、薬剤分包装置、薬剤分包監査装置、分包袋及び薬剤管理方法を提供することを目的とする。
【課題を解決するための手段】
【００１１】
上記目的を達成するために一の態様に係る発明は、一つ以上の施設により一包化された分包薬を一包ずつ一元管理する薬剤管理システムであって、分包薬を一包ずつ一意に特定するユニーク識別情報と少なくともユニーク識別情報に対応する分包薬の薬剤情報とを関連付けて管理するクラウドサーバと、施設に設置され、処方データにしたがって一回に服用する薬剤を分包袋に収納して一包化する薬剤分包部と、クラウドサーバに設置され、又は施設に設置され、ユニーク識別情報を発番する発番部と、発番部により発番されたユニーク識別情報を分包袋に付加する情報付加部と、ユニーク識別情報に関連付けて少なくとも分包袋に収納された分包薬の薬剤情報をクラウドサーバにアップロードする通信部と、を備える。【００１２】
本発明の一の態様によれば、一つ以上の施設の情報付加部は、薬剤分包部により薬剤が分包される分包袋に、一包ずつ発番部により発番された世界で唯一のユニーク識別情報を付加する。一つ以上の施設は、ユニーク識別情報が付加された分包薬の少なくとも薬剤情報を、ユニーク識別情報に関連付けてクラウドサーバにアップロードする。クラウドサーバは、一つ以上の施設からアップロードされた分包薬の薬剤情報を、ユニーク識別情報に関連付けて一元管理する。これにより、薬局等の施設により一包化された分包薬の素性（分包袋に収納された薬剤の薬剤情報）が不明であっても、分包袋に付加されたユニーク識別情報に基づいてクラウドサーバに問い合わせることにより、その分包薬の素性を入手することができ、分包薬のトレーサビリティが可能になる。【００１３】
本発明の他の態様に係る薬剤管理システムにおいて、情報付加部は、ユニーク識別情報又はユニーク識別情報を示すバーコードを分包袋に付加し、ユニーク識別情報もしくはユニーク識別情報を示すバーコードを付加したラベルを分包袋に貼付し、又は分包袋に付加された電子タグにユニーク識別情報を記録することが好ましい。尚、ユニーク識別情報又はユニーク識別情報を示すバーコードは、暗号化されたものでもよい。また、バーコードは、一次元バーコードでもよいし、二次元バーコードでもよい。【００１４】
本発明の更に他の態様に係る薬剤管理システムにおいて、情報付加部は、分包薬の患者情報、服用時期及び薬剤情報のうちの少なくとも服用時期を分包袋に更に付加することが好ましい。朝食後、昼食後等の服用時期により分包薬に含まれる薬剤が異なる場合があり、また、１日２回服用する場合、１日３回服用する場合などがあるからである。【００１５】
本発明の更に他の態様に係る薬剤管理システムにおいて、通信部は、ユニーク識別情報に関連付けて処方データに記載された情報をクラウドサーバにアップロードし、クラウドサーバは、ユニーク識別情報に関連付けて処方データに記載された情報を更に管理することが好ましい。処方データに記載された情報としては、薬剤情報の他に、例えば処方年月日、患者情報、処方した病院、医師などの情報が含まれる。【００１６】
本発明の更に他の態様に係る薬剤管理システムにおいて、分包薬を、分包袋に収納して一包化する前又は一包化した後に撮像する撮像部と、撮像部により撮像された分包薬の画像に基づいて分包薬が処方データに対応する薬剤か否かを薬剤師が確認可能に支援する薬剤監査部と、を備えることが好ましい。薬剤師は、撮像部により撮像された分包薬の画像を見ることで、薬剤を直接目視する場合に比べて分包薬の細部（薬剤の刻印等）を容易に確認することが可能であり、又は薬剤監査部が画像に基づいて自動的に分包薬の監査を行う場合、薬剤師は、薬剤監査部による監査結果を使用することで、効率的で、より監査ミスのない監査作業が可能になる。【００１７】
本発明の更に他の態様に係る薬剤管理システムにおいて、通信部は、分包薬が、処方データに対応する薬剤であることが薬剤師により確認されると、ユニーク識別情報に関連付けて分包薬の薬剤情報として薬剤文字または記号情報と薬剤監査部での監査に使用された画像とをクラウドサーバにアップロードし、クラウドサーバは、ユニーク識別情報に関連付けて分包薬の薬剤情報及び画像を管理することが好ましい。これにより、分包薬の薬剤文字または記号情報に加えて監査に使用された画像を確認することができ、薬剤監査のトレーサビリティが可能である。【００１８】
本発明の更に他の態様に係る薬剤管理システムにおいて、クラウドサーバにアクセス可能なクライアント端末であって、分包袋に付加されたユニーク識別情報を読み取る情報読取部と、情報読取部により読み取ったユニーク識別情報に基づいて少なくとも分包袋に収納された分包薬の薬剤情報を、クラウドサーバから取得する薬剤情報取得部とを有するクライアント端末を、更に備えることが好ましい。【００１９】
医師、薬剤師、看護師、服用者、その他のユーザを含むアクセス者は、自己のクライアント端末を使用して分包袋に付加されたユニーク識別情報を読み取ることにより、クラウドサーバから分包袋に収納された分包薬の薬剤情報等を容易に入手することができる。尚、クラウドサーバは、個人情報等についてはアクセス者に応じて閲覧の制限をかけることが好ましい。【００２０】
本発明の更に他の態様に係る薬剤管理システムにおいて、ユニーク識別情報は、ＧＳ１識別コードであることが好ましい。ＧＳ１識別コードは、ＧＳ１（General Specifications One）が定めている国際標準の識別コードである。【００２１】
本発明の更に他の態様に係るクラウドサーバは、上述の薬剤管理システムを構成する。【００２２】
更に他の態様に係る発明は、一つ以上の施設に設置される薬剤分包装置であって、処方データにしたがって一回に服用する薬剤を分包袋に収納して一包化する薬剤分包部と、薬剤分包部により一包化される分包薬に対し、一包ずつ一意に特定するユニーク識別情報を発番する発番部からユニーク識別情報を取得するユニーク識別情報取得部と、ユニーク識別情報取得部が取得したユニーク識別情報を分包袋に付加する情報付加部と、ユニーク識別情報に関連付けて少なくとも分包袋に収納された分包薬の薬剤情報を、施設により一包化された分包薬を一包ずつ一元管理するクラウドサーバにアップロードする通信部と、を備える。【００２３】
本発明の更に他の態様に係る薬剤分包装置は、処方データにしたがって一回に服用する薬剤を分包袋に収納して一包化し、一包化した分包薬の分包袋にユニーク識別情報を付加する。ユニーク識別情報を発番する発番部は、クラウドサーバに設けられたものでもよいし、薬剤分包装置毎に設けられたものでもよい。薬剤分包装置の通信部は、ユニーク識別情報に関連付けて、少なくとも分包袋に収納された分包薬の薬剤情報をクラウドサーバにアップロードする。ユニーク識別情報に関連付けて分包薬を一包ずつ一元管理するクラウドサーバにより、分包薬のトレーサビリティを可能にする。【００２４】
更に他の態様に係る発明は、一つ以上の施設に設置される薬剤分包装置であって、処方データにしたがって一回に服用する薬剤を分包袋に収納して一包化する薬剤分包部を備えた第１の薬剤分包装置と、第１の薬剤分包装置により一包化される分包薬に対し、一包ずつ一意に特定するユニーク識別情報を発番する発番装置と、から構成され、第１の薬剤分包装置及び発番装置のうちの少なくとも一方は、第１の薬剤分包装置により一包化される分包薬に対し、発番装置から発番されたユニーク識別情報を分包袋に付加する情報付加部と、ユニーク識別情報に関連付けて少なくとも分包袋に収納された分包薬の薬剤情報を、施設により一包化された分包薬を一包ずつ一元管理するクラウドサーバにアップロードする通信部と、を備える。【００２５】
本発明の更に他の態様に係る薬剤分包装置は、独立型の第１の薬剤分包装置と薬剤分包装置向け発番装置とから構成され、ユニーク識別情報の発番は、発番装置により行われるため、第１の薬剤分包装置は、一般的な（既存の）ものを使用することが可能である。尚、ユニーク識別情報を分包袋に付加するブリンタ等の情報付加部、及びユニーク識別情報に関連付けられた分包薬の薬剤情報等をクラウドサーバにアップロードする通信部は、第１の薬剤分包装置及び薬剤分包装置向け発番装置のうちの少なくとも一方に設置すればよい。【００２６】
本発明の更に他の態様に薬剤分包装置において、情報付加部は、ユニーク識別情報又はユニーク識別情報を示すバーコードを分包袋に付加し、ユニーク識別情報もしくはユニーク識別情報を示すバーコードを付加したラベルを分包袋に貼付し、又は分包袋に付加された電子タグにユニーク識別情報を記録することが好ましい。【００２７】
本発明の更に他の態様に係る薬剤分包装置において、情報付加部は、分包薬の患者情報、服用時期及び薬剤情報のうちの少なくとも服用時期を分包袋に更に付加することが好ましい。【００２８】
本発明の更に他の態様に係る薬剤分包装置において、通信部は、ユニーク識別情報に関連付けて処方データをクラウドサーバにアップロードすることが好ましい。【００２９】
本発明の更に他の態様に係る分包袋は、上記の薬剤分包装置により一回に服用する薬剤が収納された分包袋であって、少なくともユニーク識別情報が付加されたものである。【００３０】
本発明の更に他の態様に係る分包袋において、ユニーク識別情報は、ＧＳ１識別コードであることが好ましい。【００３１】
本発明の更に他の態様に係る薬剤分包監査装置は、上述の薬剤分包装置と、分包薬を、分包袋に収納して一包化する前又は一包化した後に撮像する撮像部と、撮像部により撮像された薬剤の画像と処方データとに基づいて分包薬が、処方データに対応する薬剤か否かを薬剤師が確認可能に支援する薬剤監査部と、を備える。【００３２】
薬剤師は、撮像部により撮像された分包薬の画像を見ることで、薬剤を直接目視する場合に比べて分包薬の細部（薬剤の刻印等）を容易に確認することが可能であり、又は薬剤監査部が画像に基づいて自動的に分包薬の監査を行う場合、薬剤師は、薬剤監査部による監査結果を使用することで、効率的で、より監査ミスのない監査作業が可能になる。画像は薬剤の表および裏など複数の位置で撮像されたものが、監査の観点からは好ましい。【００３３】
本発明の更に他の態様に係る薬剤分包監査装置において、通信部は、分包袋に収納された薬剤が処方データに対応する薬剤であることが薬剤師により確認されると、ユニーク識別情報に関連付けて分包薬の薬剤情報と薬剤監査部での監査に使用された画像とをクラウドサーバにアップロードすることが好ましい。これにより、分包薬の薬剤情報に加えて監査に使用された画像を確認することができ、薬剤監査のトレーサビリティが可能である。【００３４】
更に他の態様に係る発明は、一つ以上の施設に設置される薬剤分包装置と一包化薬剤監査装置とにより構成された薬剤分包監査装置であって、薬剤分包装置は、処方データにしたがって一回に服用する薬剤を分包袋に収納して一包化する薬剤分包部を備え、一包化薬剤監査装置は、施設により一包化される分包薬に対し、一包ずつ一意に特定するユニーク識別情報を発番する発番部からユニーク識別情報を取得するユニーク識別情報取得部と、ユニーク識別情報取得部が取得したユニーク識別情報を、分包袋に付加する情報付加部と、ユニーク識別情報に関連付けて少なくとも分包袋に収納された分包薬の薬剤情報を、施設により一包化された分包薬を一包ずつ一元管理するクラウドサーバにアップロードする通信部と、薬剤分包装置が、分包薬を、分包袋に収納して一包化する前又は一包化した後に撮像する撮像部と、撮像部により撮像された薬剤の画像と処方データとに基づいて分包薬が、処方データに対応する薬剤か否かを薬剤師が確認可能に支援する薬剤監査部と、を備える。【００３５】
本発明の更に他の態様によれば、薬剤分包装置と一包化薬剤監査装置とにより薬剤分包監査装置を構成することができ、特に薬剤分包装置は、一般的な（既存の）ものを使用することが可能である。【００３６】
本発明の更に他の態様に係る薬剤分包監査装置において、通信部は、分包袋に収納された薬剤が処方データに対応する薬剤であることが薬剤師により確認されると、ユニーク識別情報に関連付けて分包薬の薬剤情報と薬剤監査部での監査に使用された画像とをクラウドサーバにアップロードすることが好ましい。これにより、分包薬の薬剤情報に加えて監査に使用された画像を確認することができ、薬剤監査のトレーサビリティが可能である。【００３７】
本発明の更に他の態様に係る分包袋は、上記の薬剤分包監査装置により一回に服用する薬剤が収納された分包袋であって、少なくともユニーク識別情報が付加されたものである。【００３８】
本発明の更に他の態様に係る分包袋において、ユニーク識別情報は、ＧＳ１識別コードであることが好ましい。【００３９】
更に他の態様に係る薬剤管理方法は、一つ以上の施設に設置された薬剤分包部が、処方データにしたがって一回に服用する薬剤を分包袋に収納して一包化するステップと、発番部が、分包袋に収納された分包薬を一包ずつ一意に特定するユニーク識別情報を発番するステップと、情報付加部が、発番されたユニーク識別情報を分包袋に付加するステップと、通信部が、ユニーク識別情報に関連付けて少なくとも分包袋に収納された分包薬の薬剤情報をクラウドサーバにアップロードするステップと、を含み、クラウドサーバにより一つ以上の施設により一包化された分包薬を一包ずつ一元管理する。これにより、分包薬の素性が不明であっても、分包袋に付加されたユニーク識別情報に基づいてクラウドバーバに問い合わせることにより、その分包薬の素性を入手することができ、分包薬のトレーサビリティが可能になる。【００４０】
本発明の更に他の態様に係る薬剤管理方法において、クラウドサーバにアクセス可能なクライアント端末であって、分包袋に付加されたユニーク識別情報を読み取る情報読取部と、情報読取部により読み取ったユニーク識別情報に基づいて少なくとも分包袋に収納された分包薬の薬剤情報を、クラウドサーバから取得する薬剤情報取得部とを備え、利用する医師、薬剤師、看護師、服用者、その他ユーザ等のアクセス者に応じて情報の閲覧の制限をかけることが好ましい。
【発明の効果】
【００４１】
本発明によれば、一つ以上の施設により一包化された分包薬であっても、分包薬の薬剤情報を簡単に入手することができ、分包薬のトレーサビリティが可能である。
【図面の簡単な説明】
【００４２】
【図１】図１は本発明に係る薬剤管理システムの概略の構成を示すシステム構成図
【図２】図２はクラウドサーバの実施形態を示すブロック図
【図３】図３は薬剤管理ＤＢで管理されるデータ構造の一例を示す図
【図４】図４は薬局の内部構成の第１の実施形態を示すブロック図
【図５】図５はラベルプリンタによりユニークＩＤ及び処方データが印字されたラベルの一例を示す図
【図６】図６は本発明に係る分包袋の第１の実施形態を示す図
【図７】図７は本発明に係る薬剤管理方法の第１の実施形態を示すフローチャート
【図８】図８は本発明に係る薬剤管理方法の第２の実施形態を示すフローチャート
【図９】図９は薬局の内部構成の第２の実施形態を示すブロック図
【図１０】図１０は本発明に係る薬剤管理方法の第３の実施形態を示すフローチャート
【図１１】図１１は図１０に示したステップＳ６２における薬剤監査の一例を示すフローチャート
【図１２】図１２は薬剤監査部により作成された画像の一覧表の一例を示す図
【図１３】図１３は薬局の内部構成の第３の実施形態を示すブロック図
【図１４】図１４は本発明に係る分包袋の第２の実施形態を示す図
【図１５】図１５は薬局の内部構成の第４の実施形態を示すブロック図
【図１６】図１６は薬剤管理システムに適用可能なクライアント端末の外観図
【図１７】図１７は図１６に示したクライアント端末の内部構成を示すブロック図
【図１８】図１８は分包薬の薬剤情報の取得方法の実施形態を示すフローチャート
【発明を実施するための形態】
【００４３】
以下、添付図面に従って本発明に係る薬剤管理システム、薬剤分包装置、クラウドサーバ、薬剤分包監査装置、分包袋及び薬剤管理方法の好ましい実施形態について説明する。
【００４４】
［薬剤管理システムの構成］
図１は、本発明に係る薬剤管理システムの概略の構成を示すシステム構成図である。
【００４５】
この薬剤管理システム１は、クラウドサーバ１０、一つ以上の施設２０、及びクライアント端末１００から構成され、インターネット等のネットワーク２により通信可能に接続されている。尚、ネットワーク２は、医療情報の安全管理に適したセキュアなネットワークであることが好ましい。
【００４６】
［クラウドサーバ］
図２は、クラウドサーバ１０の実施形態を示すブロック図である。
【００４７】
図２に示すようにクラウドサーバ１０は、一つ以上の施設２０により一包化された分包薬を一包ずつ一元管理するサーバであり、主としてＣＰＵ（Central Processing Unit）１２、薬剤管理データベース（薬剤管理ＤＢ（Data Base））が格納される大容量の記憶部１４、発番部として機能する発番サーバ１６、及び通信部１８から構成されている。
【００４８】
ＣＰＵ１２は、クラウドサーバ１０の各部を統括制御する部分であり、通信部１８を介して入力する各種の情報の解析、薬剤管理ＤＢで管理される情報の更新及び読出しの指示、分包薬を一包ずつ一意に特定するユニーク識別情報（ユニークＩＤ（identification））の発番サーバ１６への発番の依頼、及び通信部１８での通信処理等を司る。
【００４９】
図３は、薬剤管理ＤＢで管理されるデータ構造の一例を示す図である。
【００５０】
図３に示すように薬剤管理ＤＢでは、分包薬の一包毎に発番されたユニークＩＤを主キーとして、ユニークＩＤに対応する分包薬の薬剤情報、分包薬の処方年月日、患者情報、処方した病院情報、一包化調剤した施設の施設情報が関連付けて記録され、管理されている。
【００５１】
本例の分包薬の薬剤情報には、分包袋に収納された分包薬の薬剤毎の薬剤名、会社名（屋号）を示す記号、及び規格を示す薬剤文字または記号情報と、後述する薬剤分包監査装置２２−２（図９）での薬剤監査に使用された画像（薬剤画像）とを含んでいる。尚、薬剤分包装置２２−１（図４）は、薬剤画像は分包薬の薬剤情報として必須の情報ではないが、分包装置の内部に撮像部を有していれば薬剤画像情報を含んでいてもよい。さらに、一包化された包毎の薬剤情報や服用時期及び注意事項等の分包情報を含んでいてもよい。
【００５２】
患者情報には、患者（服用者）の名前、性別、年齢等を含めることができるが、その他、住所、電話番号等の連絡先の情報を含めるようにしてもよい。病院情報には、処方した医師の所属する病院名の他、医師の名前を含めることができ、施設情報には、施設名（施設が薬局の場合には薬局名、病院薬剤部の場合には病院薬剤部の情報）の他、薬剤監査した薬剤師の名前を含めることができる。
【００５３】
発番サーバ１６は、本システムを利用する一つ以上の施設２０から通信部１８を介してユニークＩＤの発番要求を受け付けると、分包薬の分包個数分のユニークＩＤを発番し、通信部１８を介して発番要求元の一つ以上の施設２０に送信する。
【００５４】
尚、本システムを利用する一つ以上の施設２０から患者毎の処方データを通信部１８を介して受け付けると、ＣＰＵ１２又は発番サーバ１６は、処方データを解析することで、その処方データに対応する分包薬の分包個数を算出し、発番サーバ１６は、算出された分包個数分のユニークＩＤを発番することができる。この場合、一つ以上の施設２０から受信する処方データは、ユニークＩＤの発番要求に対応する。
【００５５】
また、発番サーバ１６により分包個数分のユニークＩＤが発番されると、分包個数分のユニークＩＤに基づいて、図３に示した薬剤管理ＤＢを更新することができる。例えば、一つ以上の施設２０から患者毎の処方データを通信部１８を介して受信している場合、ＣＰＵ１２は、処方データから図３に示した薬剤管理ＤＢで管理する情報を抽出し、ユニークＩＤに関連付けて薬剤管理ＤＢを更新することができる。
【００５６】
一つ以上の施設２０から処方データを受信していない場合でも、一つ以上の施設２０から分包個数分のユニークＩＤの発番要求があると、発番サーバ１６は、分包個数分のユニークＩＤを発番して発番要求元の一つ以上の施設２０に送信することができる。また、ＣＰＵ１２は、発番要求元の一つ以上の施設２０に対して、薬剤管理ＤＢで管理する処方データを要求することができ、分包個数分のユニークＩＤに関連付けて、処方データを薬剤管理ＤＢにて管理させることができる。尚、この時点では、薬剤管理ＤＢにおけるユニークＩＤに関連付けられる薬剤情報は、空欄のままになっている。
【００５７】
また、発番サーバ１６により発番される、分包薬を一包ずつ一意に特定するユニークＩＤは、世界で唯一のＩＤであり、発番サーバ１６は、例えば、発番要求元の一つ以上の施設２０に設置されている薬剤分包装置２２−１（図４）を一意に特定する製品ＩＤと、製品ＩＤに対応する薬剤分包装置２２−１により一包化される分包薬の個数の連続番号とを組み合わせて、ユニークＩＤを発番することができる。また、製品ＩＤとタイムスタンプとを組み合わせてユニークＩＤを発番することができる。尚、このようなユニークＩＤの発番を行い場合、発番要求元の一つ以上の施設２０は、発番要求時に製品ＩＤをクラウドサーバ１０に通知する必要がある。
【００５８】
また、発番サーバ１６は、ＵＵＩＤ（Universally Unique Identifier）を発番するようにしてもよい。更に、ユニークＩＤは、ハッシュ値によりハッシュ化し、又は暗号化することが好ましいが、薬剤管理ＤＢにおいて、ユニークＩＤと患者情報等の個人情報とが関連付けられていない場合には、ハッシュ化等を行う必要はない。
【００５９】
［一つ以上の施設（薬局）の第１の実施形態］
図４は、一つ以上の施設（薬局）２０の内部構成の第１の実施形態を示すブロック図である。
【００６０】
図４に示すように一つ以上の施設（薬局）２０には、薬剤分包装置２２−１と、レセプトコンピュータ２４とが設置されており、薬剤分包装置２２−１とレセプトコンピュータ２４とは一つ以上の施設（薬局）２０内のＬＡＮ（Local Area Network）２６により接続されている。尚、本例では、１台の薬剤分包装置２２−１が設置されているが、複数台の薬剤分包装置２２−１が設置されていてもよい。
【００６１】
一つ以上の施設（薬局）２０の薬剤分包装置２２−１及びレセプトコンピュータ２４は、通信部２２Ｃ−２及びネットワーク２（図１）を経由してクラウドサーバ１０と通信が可能になっている。
【００６２】
一つ以上の施設（薬局）２０で行われる薬剤処方作業は、大別して、薬局担当者（薬局事務、薬剤師等）による処方データ入力作業と、薬剤師によるピッキング作業と分包作業と薬剤監査作業等の調剤とを含む。
【００６３】
処方データ入力作業では、処方箋に記載されている情報（以下、「処方データ」という）を、薬局担当者がレセプトコンピュータ２４に入力する。処方データの例として、患者の氏名、年齢等の患者情報、薬剤の薬種、若しくは薬剤の名称、薬剤の分量、薬剤の用法（服用時期）、及び薬剤の用量等の薬剤情報、処方データの発行年月日、処方した病院名、医師名等の病院情報を含む。薬局内の調剤機器連携は、調剤システム処方ＩＦ共有仕様であるＮＳＩＰＳ（New Standard Interface of Pharmacy-system Specifications）を使うのが好ましい。
【００６４】
次いで、レセプトコンピュータ２４から薬剤分包装置２２−１に対して処方データを出力する。また、薬剤師は、レセプトコンピュータ２４、又は処方データが入力された薬剤分包装置２２−１を操作して、処方データや分包情報をクラウドサーバ１０に送信する。
【００６５】
ピッキング作業では、処方データに基づき、薬剤師が薬剤棚から薬剤情報に対応する薬剤をピッキングする。薬剤の例として、錠剤又はカプセル等が挙げられる。尚、ピッキング作業には、例えば、レセプトコンピュータに入力された処方データに基づき薬剤を自動的にピッキングする自動ピッキング装置を用いてもよい。
【００６６】
また、ピッキングされた薬剤が処方データと合致しているか否かを監査支援システムにて自動判定し、ピッキングのミスを防止することが好ましい。薬剤は、一般に調剤包装単位コード（バーコード）を含む薬剤情報が付加された、ＰＴＰ(Press Through Package)シートにて包装されている。監査支援システムは、ピッキングされたＰＴＰシートがステージに載せられると、ＰＴＰシートに付加された薬剤情報を読み取り、また、ＰＴＰシートの撮影により薬剤の個数をカウントし、処方データと合致するか否かを判定し、その判定結果を出力する。
【００６７】
薬剤分包装置２２−１は、一回に服用する複数の薬剤を一つの分包袋に収納して一包化する装置であり、装置全体を統括制御するＣＰＵ２２Ａと、薬剤分包部２２Ｂと、通信部２２Ｃ−１，２２Ｃ−２と、情報付加部として機能するラベルプリンタ（プリンタ）２２Ｄとを備えている。
【００６８】
この薬剤分包装置２２−１は、分包薬を一包ずつ一意に特定するユニークＩＤ等を、ラベルプリンタ２２Ｄによりラベルに付加（印字）し、ユニークＩＤ等が印字されたラベルを分包薬の分包袋に貼付する機能を備えている。尚、本例の薬剤分包装置２２−１は、ラベルプリンタ２２Ｄを内蔵しているが、ラベルプリンタ２２Ｄは、薬剤分包装置２２−１の外部に設けられていてもよい。
【００６９】
薬剤分包装置２２−１を使用した分包作業は、以下のように行われる。ピッキング作業でピッキングされた薬剤を薬剤師が薬剤分包部２２Ｂのトレイ（薬剤マス）に、１包分毎にセットする（手撒き作業）。薬剤分包部２２Ｂは、薬剤マス内の薬剤を、連続している空の分包袋に収納し、その後、分包袋を閉じ、ミシン目等の付与により切り離し可能にすることで分包薬の一包化を行う。尚、この種の薬剤分包部２２Ｂを備えた薬剤分包装置は、公知であるため、薬剤分包部２２Ｂの詳細な構成の説明は省略する。
【００７０】
また、この薬剤分包装置２２−１は、薬剤師による手撒き作業が行われるが、ＰＴＰシートをセットすることでＰＴＰシートから薬剤を自動的に除包する機能や、錠剤とカプセルをあらかじめ各々カセットに充填しておく機能を追加し、手撒き作業を省略することができる薬剤分包装置でもよい。薬剤は散薬でもよい。
【００７１】
ＣＰＵ２２Ａ（ユニーク識別情報取得部）は、分包作業に先立ってクラウドサーバ１０から処方データに対応して発番された分包薬の分包個数分のユニークＩＤを通信部２２Ｃ−２を介して取得し、また、レセプトコンピュータ２４からＬＡＮ２６及び通信部２２Ｃ−１を介して処方データを取得する。
【００７２】
ＣＰＵ２２Ａは、取得したユニークＩＤ及び処方データに基づいて各分包薬に対するプリント用データを作成し、ラベルプリンタ２２Ｄに出力する。
【００７３】
ラベルプリンタ２２Ｄは、入力するプリント用データによりユニークＩＤ及び処方データをラベルに印字する。ラベルプリンタ２２Ｄへの印字方法は、感熱ラベルへの感熱印字、一般ラベルへの熱転写やＵＶ((ultraviolet)インクや顔料インクによる印字、ＩＪ（inkjet）ラベルへの染料や顔料インクによるＩＪ印字等適宜選択できる。
【００７４】
図５は、ラベルプリンタ２２ＤによりユニークＩＤ及び処方データが印字されたラベル４０の一例を示す図である。
【００７５】
図５に示すようにラベル４０には、ユニークＩＤの文字情報４２及びユニークＩＤを示すバーコード４４（一次元バーコード）と、患者の名前（富士太郎）４６と、服用時期（昼食後）４７と、一包化されている薬剤毎の薬剤名等の薬剤文字情報４８とが印字されている。尚、ラベル４０には、ユニークＩＤの文字情報４２、又はユニークＩＤを示すバーコード４４のみを印字してもよい。また、処方データを印字する場合には、服用時期４７のみでもよい。更に、ラベル４０には、ユニークＩＤを示すバーコード４４に加えて、分包薬の薬剤情報（薬剤文字情報４８）及び患者情報（患者名４６）のうちの少なくとも一方を印字してもよい。
【００７６】
図５において、薬剤分包部２２Ｂにより一包化された分包袋５０には、５種類（４個の錠剤と１個のカプセル）の薬剤５２が収納されており、ラベルプリンタ２２ＤによりユニークＩＤ及び処方データが印字されたラベル４０は、それぞれ対応する分包袋５０に貼付される。尚、ラベルプリンタ２２Ｄは、ラベル自動貼付機能を有し、薬剤分包部２２Ｂにより順次一包化された分包薬の分包袋５０に対して、それぞれ対応するプリント用データをＣＰＵ２２Ａから取得し、ラベル印字からラベル貼付までを連続して行う。
【００７７】
図６は、本発明に係る分包袋の第１の実施形態を示す図であり、薬剤分包装置２２−１により一包化調剤された一連の分包薬の一部を示す図である。同図に示すように薬剤が収納された分包袋５０には、それぞれユニークＩＤを示すバーコード等が印字されたラベル４０が貼付されている。
【００７８】
薬剤監査作業では、薬剤師が分包袋５０に分包された薬剤の薬種や個数が正しいか否か（即ち、処方データにしたがったものであるか否か）を目視で確認する薬剤監査を行う。
【００７９】
薬剤師による薬剤監査作業が終了し、薬剤師が監査終了を入力すると、薬剤分包装置２２−１は、ユニークＩＤに関連付けて少なくとも分包袋５０に収納された分包薬の薬剤情報を、通信部２２Ｃ−２からネットワーク２を介してクラウドサーバ１０にアップロードする。このとき、処方データと分包情報も同時にアップロードするようにしてもよい。
【００８０】
尚、薬剤分包装置２２−１は、ラベルプリンタ２２ＤによりユニークＩＤ等が印字されたラベルを、分包袋に貼付するようにしたが、これに限らず、例えば、ラベルプリンタ２２Ｄの代わりに熱転写プリンタやＩＪプリンタを備え、これらのプリンタにより分包袋にユニークＩＤ等を直接印字するようにしてもよい。
【００８１】
また、本例では一つ以上の施設（薬局）２０の内部構成について説明したが、一つ以上の施設（自動受付管理システム、電子カルテシステム、入院管理システム、医事会計システム、薬局管理システム、診療予約システム等を含む病院情報システムＨＩＳ(Hospital Information Systems)で管理された病院薬剤部）２０の内部構成も一つ以上の施設（薬局）２０の内部構成と同様にすることができる。
【００８２】
［薬剤管理方法の第１の実施形態］
図７は、本発明に係る薬剤管理方法の第１の実施形態を示すフローチャートである。
【００８３】
図７に示す第１の実施形態の薬剤管理方法は、前述したクラウドサーバ１０と図６に示した一つ以上の施設（薬局）２０とを含む薬剤管理システムに適用される。
【００８４】
一つ以上の施設（薬局）２０の薬剤分包装置２２−１は、レセプトコンピュータ２４から処方データを受信し（ステップＳ１０）、受信した処方データをクラウドサーバ１０に送信する（ステップＳ１２）。尚、処方データは、レセプトコンピュータ２４からクラウドサーバ１０に送信するようにしてもよい。
【００８５】
クラウドサーバ１０は、受信した処方データから薬剤を一包化する場合の分包薬の分包個数を算出する（ステップＳ１４）。クラウドサーバ１０の発番サーバ１６は、分包個数分のユニークＩＤを発番し、通信部１８は、発番サーバ１６により発番された分包個数分のユニークＩＤを一つ以上の施設（薬局）２０に送信する（ステップＳ１６）。尚、本例では、クラウドサーバ１０が、一つ以上の施設（薬局）２０から受信した処方データに基づいて分包薬の分包個数を算出するが、一つ以上の施設（薬局）２０側で処方データに基づいて分包薬の分包個数を自動的に算出し、又は手動で入力し、一つ以上の施設（薬局）２０側が算出又は入力した分包個数分のユニークＩＤの発番をクラウドサーバ１０に要求するようにしてもよい。また、一つ以上の施設（薬局）２０は、発番サーバ１６がユニークＩＤを発番するために使用する情報として、一包化調剤する薬剤分包装置２２−１の製品ＩＤをクラウドサーバ１０に送信することが好ましい。
【００８６】
薬剤分包装置２２−１のラベルプリンタ２２Ｄは、クラウドサーバ１０から受信した分包個数分のユニークＩＤを示すバーコード、分包袋に収納される分包薬の薬剤情報、服用する患者情報等をラベルに印字し（ステップＳ１８）、印字したラベルを分包袋に貼付する（ステップＳ２０）。
【００８７】
薬剤分包装置２２−１の薬剤分包部２２Ｂは、処方データにしたがって分包袋に薬剤を投入して一包化する（ステップＳ２２）。尚、本例では、空の分包袋にユニークＩＤ等が印字されたラベルを貼付し、その後、分包袋に薬剤を投入して一包化するようにしているが、一包化された分包袋にユニークＩＤ等が印字されたラベルを貼付するようにしてもよい。
【００８８】
一人分の一包化調剤が完了すると、薬剤分包装置２２−１はユニークＩＤに関連付けて分包薬の薬剤情報等を、通信部２２Ｃ−２からネットワーク２を介してクラウドサーバ１０にアップロードする（ステップＳ２４）。
【００８９】
クラウドサーバ１０は、一つ以上の施設（薬局）２０からアップロードされたユニークＩＤに関連付けられた分包薬の薬剤情報等を薬剤管理ＤＢに新規登録し、薬剤管理ＤＢを更新する（ステップＳ２６）。
【００９０】
これにより、クラウドサーバ１０は、一つ以上の施設（薬局）により一包化された分包薬を一包ずつ一元管理することができる。
【００９１】
［薬剤管理方法の第２の実施形態］
図８は、本発明に係る薬剤管理方法の第２の実施形態を示すフローチャートである。
【００９２】
第２の実施形態が適用される薬剤分包装置は、装置自体が発番部を備え、その発番部から発番されたユニークＩＤを取得する点で、図４に示した薬剤分包装置２２−１と相違する。
【００９３】
図８において、一つ以上の施設（薬局）２０の薬剤分包装置は、レセプトコンピュータ２４から処方データを受信し（ステップＳ３０）、薬剤分包部は、処方データにしたがって分包袋に薬剤を投入して一包化する（ステップＳ３２）。
【００９４】
薬剤分包装置に設けられた発番部は、薬剤分包部により薬剤が一包化される毎に、その一包化された分包薬に対してユニークＩＤを、発番サーバ１６と同様にして発番する（ステップＳ３４）。
【００９５】
薬剤分包装置に設けられたラベルプリンタは、発番されたユニークＩＤ等をラベルに印字し（ステップＳ３６）、ユニークＩＤ等が印字されたラベルを分包袋に貼付する（ステップＳ３８）。
【００９６】
薬剤分包装置は、一人分の分包が終了したか否かを判別し（ステップＳ４０）、一人分の分包が終了していないと判別されると（「No」の場合）、ステップＳ３２に戻り、ステップＳ３２からステップＳ４０の処理を繰り返す。一方、一人分の分包が終了したと判別されると（「Yes」の場合）、ステップＳ４２に遷移する。
【００９７】
ステップＳ４２では、薬剤分包装置はユニークＩＤに関連付けて分包薬の薬剤情報等を、ＬＡＮ２６及びネットワーク２を介してクラウドサーバ１０にアップロードする。
【００９８】
クラウドサーバ１０は、一つ以上の施設（薬局）２０からアップロードされたユニークＩＤに関連付けられた分包薬の薬剤情報等を薬剤管理ＤＢに新規登録し、薬剤管理ＤＢを更新する（ステップＳ４４）。
【００９９】
これにより、クラウドサーバ１０は、一つ以上の施設（薬局）により一包化された分包薬を一包ずつ一元管理することができる。
【０１００】
［一つ以上の施設（薬局）２０の第２の実施形態］
図９は、一つ以上の施設（薬局）２０の内部構成の第２の実施形態を示すブロック図である。尚、図４に示した一つ以上の施設（薬局）２０の内部構成と共通する部分には同一の符号を付し、その詳細な説明は省略する。
【０１０１】
図９に示す第２の実施形態の一つ以上の施設（薬局）２０は、図４に示した第１の実施形態の一つ以上の施設（薬局）２０と比較して、薬剤分包装置２２−１の代わりに薬剤分包監査装置２２−２が設置されている点で相違する。
【０１０２】
図９に示す薬剤分包監査装置２２−２は、主として装置全体を統括制御するＣＰＵ２２Ａ、薬剤分包部２２Ｂ、通信部２２Ｃ−１、２２Ｃ−２、撮像部２２Ｅ、薬剤監査部２２Ｆ、発番部２２Ｇ、情報付加部として機能するプリンタ２２Ｈ、表示部２２Ｉ、及び操作部２２Ｊを備えている。
【０１０３】
この薬剤分包監査装置２２−２は、薬剤分包装置２２−１と同様の分包機能の他に、分包薬の監査機能（主として撮像部２２Ｅ、薬剤監査部２２Ｆ等）と発番部２２Ｇとを備えている点で、薬剤分包装置２２−１と相違する。
【０１０４】
撮像部２２Ｅは、薬剤分包部２２Ｂにより一包化された分包薬（分包袋）を、表側から撮像する第１撮像部と裏側から撮像する第２撮像部とにより構成されている。これは、薬剤の形状、刻印等を正確に把握するためである。尚、撮像部２２Ｅは、一包化される前の分包薬（例えば、薬剤分包部２２Ｂのトレイ（薬剤マス）にセットされた分包薬、又は薬剤マスから薬剤撮像用トレイに落下させられた分包薬）を撮像するようにしてもよい。
【０１０５】
薬剤監査部２２Ｆは、レセプトコンピュータ２４からＬＡＮ２６及び通信部２２Ｃ−１を介して処方データが入力されると、撮像部２２Ｅにより撮像された分包薬の画像（本例では、一包化された分包薬（分包袋）の表側から撮像された画像と裏側から撮像された画像）を入力し、入力した処方データと分包薬の画像とに基づいて各分包袋に収納された分包薬が正しいか否かの判定等を行う。
【０１０６】
例えば、処方データと分包薬の画像を画像解析して得られる情報（分包袋内の薬剤の数量、薬剤の形状、寸法、色、及び刻印等から得られる薬剤情報）とを照合し、分包薬が正しいか否かを判定する方法、あるいは分包袋内の薬剤のマスタ画像を取得し、マスタ画像と撮像された分包薬の画像とを１錠ずつ比較して分包薬が正しいか否かを判定する方法等が考えられる。マスタ画像としては、薬剤情報に対応して予め準備された画像を使用し、あるいは一包目（最初）の分包袋を撮像した画像を使用することが考えられる。
【０１０７】
また、薬剤監査部２２Ｆは、薬剤師が分包薬の監査を容易にする監査用の画像を生成する機能も含む。薬剤監査部２２Ｆは、監査結果を表示部２２Ｉに表示させ、あるいは監査用の画像を表示させる。尚、監査用の画像の詳細については後述する。
【０１０８】
発番部２２Ｇは、ＣＰＵ２２Ａ又は薬剤分包部２２Ｂからの発番要求に応じて、分包薬を一包ずつ一意に特定するユニークＩＤを発番する。尚、発番要求は、薬剤分包部２２Ｂでの分包タイミング、又はプリンタ２２Ｈでの印字タイミングに合わせて一包ずつ出すことができる。
【０１０９】
発番部２２Ｇにより発番されるユニークＩＤは、発番サーバ１６により発番されるユニークＩＤと同様に世界で唯一のＩＤであり、例えば、薬剤分包監査装置２２−２を一意に特定する製品ＩＤと、薬剤分包監査装置２２−２により一包化される分包薬の個数の連続番号、あるいはタイムスタンプとを組み合わせて、ユニークＩＤとすることができる。また、発番部２２Ｇは、ＵＵＩＤを発番するようにしてもよい。
【０１１０】
ＣＰＵ２２Ａは、発番部２２Ｇにより発番されたユニークＩＤを取得するとともに、レセプトコンピュータ２４から取得した処方データに基づいて、各分包薬に対するプリント用データを作成し、プリンタ２２Ｈに出力する。
【０１１１】
プリンタ２２Ｈは、入力するプリント用データによりユニークＩＤ及び処方データを分包袋に印字する。
【０１１２】
表示部２２Ｉは、薬剤監査部２２Ｆによる監査結果及び監査用の画像を表示し、操作部２２Ｊは、薬剤師による監査情報を入力するユーザインターフェースとして機能する。
【０１１３】
薬剤師による薬剤監査作業が終了し、薬剤師が操作部２２Ｊにより監査終了を入力すると、薬剤分包監査装置２２−２は、ユニークＩＤに関連付けて少なくとも分包袋に収納された分包薬の薬剤情報を、通信部２２Ｃ−２からネットワーク２を介してクラウドサーバ１０にアップロードする。このとき、処方データや分包情報も同時にアップロードするようにしてもよい。
【０１１４】
［薬剤管理方法の第３の実施形態］
図１０は、本発明に係る薬剤管理方法の第３の実施形態を示すフローチャートである。
【０１１５】
図１０に示す第３の実施形態の薬剤管理方法は、クラウドサーバ１０と図９に示した一つ以上の施設（薬局）２０とを含む薬剤管理システムに適用される。
【０１１６】
図１０において、一つ以上の施設（薬局）２０の薬剤分包監査装置２２−２は、レセプトコンピュータ２４から処方データを受信し（ステップＳ５０）、薬剤分包部２２Ｂは、処方データにしたがって分包袋に薬剤を投入して一包化する（ステップＳ５２）。
【０１１７】
撮像部２２Ｅは、薬剤分包部２２Ｂにより一包化された分包袋を撮像し、薬剤監査部２２Ｆに分包薬の画像を出力する（ステップＳ５４）。
【０１１８】
また、発番部２２Ｇは、薬剤分包部２２Ｂにより薬剤が一包化される毎に、その一包化された分包薬（分包袋）に対してユニークＩＤを発番する（ステップＳ５６）。プリンタ２２Ｈは、発番されたユニークＩＤ等を分包袋に印字する（ステップＳ５８）。
【０１１９】
薬剤分包監査装置２２−２は、一人分の分包が終了したか否かを判別し（ステップＳ６０）、一人分の分包が終了していないと判別されると（「No」の場合）、ステップＳ５２に戻り、ステップＳ５２からステップＳ６０の処理を繰り返す。一方、一人分の分包が終了したと判別されると（「Yes」の場合）、ステップＳ６２に遷移する。
【０１２０】
ステップＳ６２では、薬剤監査部２２Ｆによる監査が実施される。
【０１２１】
図１１は、ステップＳ６２における薬剤監査の一例を示すフローチャート（サブルーチン）である。
【０１２２】
図１１において、薬剤監査部２２Ｆは、ＣＰＵ２２Ａから処方データや分包情報を取得し（ステップＳ８０）、処方データや分包情報に含まれる薬剤情報に基づいて、予め準備されている薬剤のマスタ画像群から分包薬の各薬剤に対応するマスタ画像を読み込む（ステップＳ８２）。また、薬剤監査部２２Ｆは、撮像部２２Ｅにより撮像された分包薬の画像を取得する（ステップＳ８４）。
【０１２３】
薬剤監査部２２Ｆは、マスタ画像と分包薬の画像とを１錠ずつ照合する（ステップＳ８６）。例えば、照合対象の画像から各薬剤の特徴量を抽出し、またマスタ画像から各薬剤の特徴量を抽出して、抽出した特徴量同士を比較することで、分包された薬剤の名称及びその数量を照合することができる。薬剤の特徴量としては、形状、大きさ、色、刻印及び文字等を挙げることができる。また、ＳＩＦＴ（Scale-Invariant Feature Transform）のような局所特徴量を抽出して照合に用いてもよい。
【０１２４】
ステップＳ８６での照合の結果、分包薬が処方データや分包情報通りである場合（ステップＳ９０でＹｅｓ）は、ステップＳ９２へ進んで照合結果（例えば「２番目の分包袋は処方データや分包情報通りに分包されています」）を表示部２２Ｉに出力し、分包薬が処方データや分包情報通りでない場合（ステップＳ９０でＮｏ）はステップＳ９４（警告工程）へ進んで警告を出力する。ステップＳ９４での警告出力（表示部２２Ｉへの表示）は、例えば「２番目の分包袋の分包薬が処方データや分包情報の内容と違う」旨のメッセージ、及び警告の具体的な内容（「分包袋に薬剤Ｂが入っておらず、不要な薬剤Ｃが入っている」）を示すメッセージを表示部２２Ｉに出力することができる。
【０１２５】
照合結果（ステップＳ９２）又は警告（ステップＳ９４）が出力されると、薬剤監査部２２Ｆは、患者一人の全分包袋について照合が終了したか否かを判別する（ステップＳ９６）。判別が否定されたら（ステップＳ９６でＮｏ）、ステップＳ８４へ戻って次の分包袋に対してステップＳ８４からステップＳ９６の処理を行い、判別が肯定されたら（ステップＳ９６でＹｅｓ）、ステップＳ９８に遷移する。
【０１２６】
ステップＳ９８では、薬剤監査部２２Ｆは、薬剤師が一包化された分包薬の監査を容易にするための監査用の画像の一覧表を作成し、作成した一覧表を表示部２２Ｉに表示させる。一覧表には、分包薬の薬剤マスタの名称や画像と、監査対象となる薬剤の名称及び、薬剤の表と裏の撮像画像を表示させるのが識別性の観点で好ましい。
【０１２７】
図１２は、薬剤監査部２２Ｆにより作成された監査用の画像の一覧表の一例を示す図である。
【０１２８】
図１２に示す監査用の画像の一覧表は、列が各薬剤に対応し、行が各分包袋に対応している。例えば、処方データにおいて「薬１」から「薬５」までの５種類の薬剤が処方されているとする。また、薬は１０日分処方されており、服用時点は朝、昼、夜の３つの時点であるとする。この場合、処方された薬剤は、３×１０＝３０袋の分包袋に分包され、監査対象の分包袋は３０袋存在する。
【０１２９】
一覧表の最上段には各列に対応する薬剤の名称（「薬１」、「薬２」、…、「薬５」）などを配置し、その次の段には各薬剤のマスタ画像を配置する。薬剤監査部２２Ｆは、例えば３０袋の分包袋のそれぞれの監査結果にしたがって、マスタ画像の各薬剤の列に、マスタ画像と一致すると判別された薬剤領域画像（監査用の画像）を配置する。例えば、「薬１」と判別された画像は「薬１」の列に配置し、「薬２」と判別された画像は「薬２」の列に配置する。
【０１３０】
図１２には図示されていないが、一覧表は、薬剤師によるチェック欄を含んでいてもよい。また、一覧表は、薬剤監査部２２Ｆによる監査結果（照合結果、警告）を表示する欄を含んでいてもよい。
【０１３１】
尚、薬剤分包監査装置２２−２は、処方データに関連付けて監査用の画像の一覧表を含む監査結果を、図示しない記憶部に保存することが好ましい。
【０１３２】
図１０に戻って、ステップＳ６２での薬剤監査が行われた後、薬剤師は、表示部２２Ｉに表示される監査用の画像の一覧表（図１２）を目視し、各分包袋に処方データや分包情報通りに薬剤が分包されているか否かを判別する（ステップＳ６４）。尚、薬剤師は、表示部２２Ｉに表示される監査用の画像の一覧表において、各分包薬に対応した列の画像同士を比較することで、各分包袋に処方データや分包情報通りに薬剤が分包されているか否かを容易に確認することができ、特に警告が発せられた分包袋については注意深く検査することができる。
【０１３３】
ステップＳ６４において、処方データや分包情報通りに分包されていない分包袋（不正な分包袋）が発見された場合（「No」の場合）、エラー処理を行う（ステップＳ６６）。エラー処理としては、薬剤師は、一連の分包袋から不正な分包袋を切り離し、新たに分包した適正な分包袋に差し替える。この場合、適正な分包袋には、不正な分包袋に印字されていたバーコード等を印字してもよいし、新たに発番したユニークＩＤを示すバーコード等を印字してもよい。
【０１３４】
ステップＳ６４において、全ての分包袋が処方データや分包情報通りに分包されていることが薬剤師により確認されると（「Yes」の場合）、薬剤師による操作部２２Ｊでの指示入力に基づいて薬剤分包監査装置２２−２は、ユニークＩＤに関連付けて分包袋に収納された分包薬の薬剤情報を、通信部２２Ｃ−２からネットワーク２を介してクラウドサーバ１０にアップロードする（ステップＳ６８）。
【０１３５】
薬剤情報として、図３に示すように薬剤文字情報に加えて薬剤画像（分包袋を表裏から撮像した２枚の画像、及び／又は分包薬の画像）もアップロードすることが好ましい。また、処方データや分包情報も同時にアップロードするようにしてもよい。更に、クラウドサーバ１０に薬剤画像をアップロードする場合、薬剤画像はリサイズされたもの、あるいは圧縮されたものでもよい。
【０１３６】
クラウドサーバ１０は、一つ以上の施設（薬局）２０からアップロードされたユニークＩＤに関連付けられた分包薬の薬剤情報等を薬剤管理ＤＢに新規登録し、薬剤管理ＤＢを更新する（ステップＳ７０）。
【０１３７】
これにより、クラウドサーバ１０は、一つ以上の施設により一包化された分包薬を一包ずつ一元管理することができる。
【０１３８】
［一つ以上の施設（薬局）２０の第３の実施形態］
図１３は、一つ以上の施設（薬局）２０の内部構成の第３の実施形態を示すブロック図である。尚、図４に示した第１の実施形態と共通する部分には同一の符号を付し、その詳細な説明は省略する。
【０１３９】
図１３に示す一つ以上の施設（薬局）２０には、薬剤分包装置向け発番装置（発番装置）２２−３と薬剤分包装置２２−４とがそれぞれ独立して設置され、発番装置２２−３、薬剤分包装置２２−４及びレセプトコンピュータ２４は、ＬＡＮ２６を介して相互に通信可能になっている。
【０１４０】
発番装置２２−３は、薬剤分包装置２２−４の薬剤分包部２２Ｂにより薬剤が一包化される毎に、その一包化された分包薬に対してユニークＩＤを、発番サーバ１６と同様にして発番する。
【０１４１】
発番装置２２−３により発番されるユニークＩＤは、世界で唯一のＩＤであり、例えば、ＧＳ１（General Specifications One）が定めている国際標準の識別コードであるＧＳ１識別コードを適用することができる。
【０１４２】
ＧＳ１識別コードには、ＧＴＩＮ(Global Trade Item Number)コード、ＧＬＮ(Global Location Number)コード、ＧＩＡＩ(Global Individual Asset Identifier)コード、ＳＳＣＣ(Serial Shipping Container Code)、ＧＲＡＩ(Global Returnable Asset Identifier)コード、ＧＳＲＮ(Global Service Relation Number)コード、ＧＤＴＩ(Global Document Type Identifier)コード、及びＧＣＮ(Global Coupon Number)コードなどがあり、特にＧＳＲＮコード及びＧＩＡＩコードが好適である。
【０１４３】
ＧＳＲＮコードは、サービスの提供者と利用者を管理するための識別コードであり、９桁のＧＳ１事業者コード、８桁のサービス提供／利用者コードの他、１０桁の拡張領域、１５桁の任意に定義可能な独自コードの組み合わせで構成される。したがって、例えば、ＧＳＲＮコードのサービス提供／利用者コードに薬剤分包装置又は薬剤分包監査装置等の製品ＩＤ（シリアル番号）を割り当て、拡張領域又は独自コードにその製品ＩＤを有する薬剤分包装置又は薬剤分包監査装置により一包化される分包薬の個数の連続番号、あるいはタイムスタンプを割り当てることにより、ＧＳＲＮコードを、分包薬を一包ずつ一意に特定するユニークＩＤとすることができる。
【０１４４】
また、ＧＩＡＩコードは、企業の資産を管理するための識別コードであり、９桁のＧＳ１事業者コードと可変長の１〜２１桁の資産番号からなる最大３０桁のコードである。したがって、ＧＩＡＩコードの２１桁の資産番号に薬剤分包装置又は薬剤分包監査装置等の製品ＩＤ及びその製品ＩＤを有する薬剤分包装置又は薬剤分包監査装置により一包化される分包薬の個数の連続番号、あるいはタイムスタンプを割り当てることにより、ＧＩＡＩコードを、分包薬を一包ずつ一意に特定するユニークＩＤとすることができる。
【０１４５】
ＣＰＵ２２Ａ−１は、発番されたユニークＩＤと、レセプトコンピュータ２４から取得した処方データとに基づいて、各分包薬に対するプリント用データを作成し、ラベルプリンタ２２Ｄに出力する。
【０１４６】
ラベルプリンタ２２Ｄは、入力するプリント用データによりユニークＩＤ及び処方データを印字する。印字されたラベルは、薬剤分包装置２２−４の薬剤分包部２２Ｂにより一包化された分包袋に自動または手動で付加する。また、ラベルプリンタ２２Ｄは通常のプリンタ（ＩＪプリンタや電子写真等）でもよく、一包化された分包袋に対応した各々のユニークＩＤおよび処方データ等の一覧を通常の紙に印字し、一包化された薬とセットにして提供してもよい。
【０１４７】
薬剤分包装置２２−４は、ＣＰＵ２２Ａ、薬剤分包部２２Ｂ、及び通信部２２Ｃを備え、主として薬剤マスに１包分毎にセットされた薬剤マス内の薬剤を、連続している空の分包袋に収納し、分包袋を閉じ、ミシン目等の付与により切り離し可能にすることで分包薬の一包化を行う。この薬剤分包装置２２−４としては、一般的なもの（既存のもの）を適用することができる。
【０１４８】
第３の実施形態によれば、一般的な薬剤分包装置２２−４に対して、ＬＡＮ２６等の通信回線を介して通信可能な薬剤分包装置向け発番装置２２−３を設置することで、図４に示した薬剤分包装置２２−１と同等の構成とすることができる。
【０１４９】
本例では、ラベルプリンタ２２Ｄ（プリンタ）、及びクラウドサーバ１０と通信する通信部２２Ｃ−２は、薬剤分包装置向け発番装置２２−３側に設けられているが、薬剤分包装置２２−４側に設けるようにしてもよい。
【０１５０】
また、図１４は、本発明に係る分包袋の第２の実施形態を示す図であり、一回に服用する薬剤が収納された一包分の分包袋の平面図である。
【０１５１】
図１４に示す分包袋５０−２は、薬剤分包部２２Ｂにより一回に服用する複数の薬剤５２−２が収納され、ラベルプリンタ２２ＤによりユニークＩＤ及び処方データが印字されたラベル４０−２が貼付されて構成されている。
【０１５２】
ラベル４０−２には、ユニークＩＤ（本例では、ＧＳ１識別コードの一つであるＧＳＲＮコードからなるユニークＩＤ）を示す二次元バーコード４４−２（例えば、ＱＲコード（登録商標））と、患者の名前（富士太郎）４６−２と、服用時期（朝食後）４７−２と、一包化されている薬剤毎の薬剤名等の薬剤文字情報４８−２とが印字されている。尚、処方データを印字する場合には、服用時期４７−２のみでもよい。また、ラベル４０−２には、ユニークＩＤを示す二次元バーコード４４−２に加えて、分包薬の薬剤情報（薬剤文字情報４８−２）及び患者情報（患者名４６−２）のうちの少なくとも一方を印字してもよい。
【０１５３】
［一つ以上の施設（薬局）２０の第４の実施形態］
図１５は、一つ以上の施設（薬局）２０の内部構成の第４の実施形態を示すブロック図である。尚、図４に示した第１の実施形態、及び図９に示した第２の実施形態と共通する部分には同一の符号を付し、その詳細な説明は省略する。
【０１５４】
図１５に示す一つ以上の施設（薬局）２０には、薬剤分包装置２２−４と一包化薬剤監査装置２２−５とがそれぞれ独立して設置され、薬剤分包装置２２−４、一包化薬剤監査装置２２−５、及びレセプトコンピュータ２４は、ＬＡＮ２６を介して相互に通信可能になっている。
【０１５５】
薬剤分包装置２２−４は、図４に示した薬剤分包装置２２−１と同様の分包機能を有し、一包化薬剤監査装置２２−５は、ＣＰＵ２２Ａ−１により統括制御され、一包化された分包薬の監査機能を有している。そして、薬剤分包装置２２−４と一包化薬剤監査装置２２−５とにより、図９の第の２実施形態に示した薬剤分包監査装置２２−２と同等の薬剤分包監査装置として機能する。
【０１５６】
薬剤分包装置２２−４としては、一般的なもの（既存のもの）を適用することができる。
【０１５７】
第４の実施形態によれば、一般的な薬剤分包装置２２−４に対して、ＬＡＮ２６等の通信回線を介して通信可能な一包化薬剤監査装置２２−５を設置することで、図９に示した薬剤分包監査装置２２−２と同等の構成とすることができる。
【０１５８】
［クライアント端末］
図１６は、薬剤管理システム１に適用可能なクライアント端末１００の外観図であり、本例では、クライアント端末１００としてスマートフォンを使用している。
【０１５９】
＜クライアント端末の構成＞
図１６に示すクライアント端末１００は、平板状の筐体１０２を有し、筐体１０２の一方の面に表示部としての表示パネル１２１と、入力部としての操作パネル１２２とが一体となって形成される表示入力部１２０が設けられる。また、その筐体１０２は、スピーカ１３１と、マイクロホン１３２と、操作部１４０と、カメラ部１４１（撮像部）とを備える。尚、筐体１０２の構成はこれに限定されず、例えば、表示部と入力部とが独立して設けられる構成を採用したり、折り畳み構造やスライド機構を有する構成、クライアント端末からWi-FiやBluetooth等の通信手段を介してコミュニケーション機構を有するロボット等を採用することもできる。
【０１６０】
図１７は、図１６に示したクライアント端末１００の内部構成を示すブロック図である。
【０１６１】
図１７に示すように、クライアント端末１００の主たる構成要素として、無線通信部１１０と、表示入力部１２０と、通話部１３０と、操作部１４０と、カメラ部１４１と、記憶部１５０と、外部入出力部１６０（出力部）と、ＧＰＳ（global positioning system）受信部１７０と、モーションセンサ部１８０と、電源部１９０と、主制御部１０１とを備える。また、クライアント端末１００の主たる機能として、基地局装置と移動通信網とを介した移動無線通信を行う無線通信機能を備える。
【０１６２】
無線通信部１１０は、主制御部１０１の指示に従って、移動通信網に接続された基地局装置との間で無線通信を行う。その無線通信が使用されて、音声データ及び画像データ等の各種ファイルデータや電子メールデータなどの送受信、及びウェブデータやストリーミングデータなどの受信が行われる。
【０１６３】
表示入力部１２０は、表示パネル１２１の画面上に配設された操作パネル１２２を備えたいわゆるタッチパネルであり、主制御部１０１の制御により、画像（静止画像及び動画像）や文字情報などを表示して視覚的にユーザに情報を伝達し、また表示した情報に対するユーザ操作を検出する。尚、操作パネル１２２を便宜上、タッチパネルとも称す。
【０１６４】
表示パネル１２１は、ＬＣＤ(Liquid Crystal Display)又はＯＥＬＤ(Organic Electro-Luminescence Display）などを表示デバイスとして用いる。操作パネル１２２は、表示パネル１２１の表示面上に表示される画像が視認可能な状態で設けられ、ユーザの指や尖筆によって操作される１又は複数の座標を検出するデバイスである。そのデバイスがユーザの指や尖筆によって操作されると、操作パネル１２２は、操作に起因して発生する検出信号を主制御部１０１に出力する。次いで、主制御部１０１は、受信した検出信号に基づいて、表示パネル１２１上の操作位置（座標）を検出する。
【０１６５】
図１６に例示されるクライアント端末１００の表示パネル１２１と操作パネル１２２とは一体となって表示入力部１２０を構成し、操作パネル１２２が表示パネル１２１を完全に覆うような配置となっている。その配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、「表示領域」という）と、それ以外の表示パネル１２１に重ならない外縁部分についての検出領域（以下、「非表示領域」という）とを備えていてもよい。
【０１６６】
尚、表示領域の大きさと表示パネル１２１の大きさとを完全に一致させてもよいが、両者を必ずしも一致させる必要はない。また、操作パネル１２２が、外縁部分及びそれ以外の内側部分の２つの感応領域を備えていてもよい。更に、その外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、及び静電容量方式などが挙げられ、いずれの方式が採用されてもよい。
【０１６７】
通話部１３０は、スピーカ１３１及びマイクロホン１３２を備え、マイクロホン１３２を通じて入力されたユーザの音声を主制御部１０１にて処理可能な音声データに変換して主制御部１０１に出力したり、無線通信部１１０或いは外部入出力部１６０により受信された音声データを復号してスピーカ１３１から出力したりする。また、図１６に示すように、例えば、スピーカ１３１及びマイクロホン１３２を表示入力部１２０が設けられた面と同じ面に搭載することができる。
【０１６８】
操作部１４０は、キースイッチなどを用いたハードウェアキーであって、ユーザからの指示を受け付ける。例えば、図１６に示すように、操作部１４０は、クライアント端末１００の筐体１０２の側面に搭載され、指などで押下されるとスイッチオン状態となり、指を離すとバネなどの復元力によってスイッチオフ状態となる押しボタン式のスイッチである。
【０１６９】
記憶部１５０は、主制御部１０１の制御プログラムや制御データ、通信相手の名称や電話番号などを対応づけたアドレスデータ、送受信した電子メールのデータ、ウェブブラウジングによりダウンロードしたウェブデータ、及びダウンロードしたコンテンツデータ等を記憶し、またストリーミングデータなどを一時的に記憶する。
【０１７０】
また、記憶部１５０は、内部記憶部１５１と着脱自在な外部メモリスロットを有する外部記憶部１５２とにより構成される。尚、記憶部１５０を構成する内部記憶部１５１及び外部記憶部１５２のそれぞれは、フラッシュメモリタイプ、ハードディスクタイプ、マルチメディアカードマイクロタイプ、カードタイプのメモリ、ＲＡＭ(Random Access Memory)、或いはＲＯＭ(Read Only Memory)などの格納媒体を用いて実現される。
【０１７１】
外部入出力部１６０は、クライアント端末１００に連結される全ての外部機器とのインターフェースの役割を果たし、通信等（例えば、ＵＳＢ（Universal Serial Bus）、ＩＥＥＥ１３９４など）又はネットワーク（例えば、無線ＬＡＮ(Local Area Network)、ブルートゥース(Bluetooth)（登録商標）、ＲＦＩＤ(Radio Frequency Identification)、赤外線通信(Infrared Data Association：ＩｒＤＡ）、ＵＷＢ(Ultra Wideband)（登録商標）、ジグビー(ZigBee)（登録商標）など）により他の外部機器に直接的又は間接的に接続する。
【０１７２】
クライアント端末１００に連結される外部機器としては、例えば、有線／無線ヘッドセット、有線／無線外部充電器、有線／無線データポート、カードソケットを介して接続されるメモリカード(Memory card)やＳＩＭ(Subscriber Identity Module Card)／ＵＩＭ(User Identity Module Card)カード、オーディオビデオＩ／Ｏ(Input/Output)端子を介して接続される外部オーディオビデオ機器、有線／無線接続される外部オーディオビデオ機器、スマートフォン、パーソナルコンピュータ、ＰＤＡ（Personal Digital Assistant）、及びイヤホンなどがある。外部入出力部１６０は、このような外部機器から伝送を受けたデータをクライアント端末１００の内部の各構成要素に伝達したり、クライアント端末１００の内部のデータが外部機器に伝送されたりするように構成されてもよい。
【０１７３】
ＧＰＳ受信部１７０は、主制御部１０１の指示に従って、ＧＰＳ衛星ＳＴ１、ＳＴ２〜ＳＴｎから送信されるＧＰＳ信号を受信し、受信した複数のＧＰＳ信号に基づく測位演算処理を実行し、クライアント端末１００の緯度、経度及び高度によって特定される位置情報（ＧＰＳ情報）を取得する。ＧＰＳ受信部１７０は、無線通信部１１０及び／又は外部入出力部１６０（例えば、無線ＬＡＮ）から位置情報を取得できる場合には、その位置情報を用いて位置を検出することもできる。
【０１７４】
モーションセンサ部１８０は、例えば、３軸の加速度センサなどを備え、主制御部１０１の指示に従って、クライアント端末１００の物理的な動きを検出する。クライアント端末１００の物理的な動きを検出することにより、クライアント端末１００の動く方向や加速度が検出される。その検出の結果は、主制御部１０１に出力される。
【０１７５】
電源部１９０は、主制御部１０１の指示に従って、クライアント端末１００の各部に、バッテリ（図示しない）に蓄えられる電力を供給する。
【０１７６】
主制御部１０１は、マイクロプロセッサを備え、記憶部１５０が記憶する制御プログラムや制御データに従って動作し、クライアント端末１００の各部を統括して制御する。また、主制御部１０１は、無線通信部１１０を通じて音声通信及びデータ通信を行うために、通信系の各部を制御する移動通信制御機能と、アプリケーション処理機能とを備える。
【０１７７】
アプリケーション処理機能は、記憶部１５０が記憶するアプリケーションソフトウェアに従って主制御部１０１が動作することにより実現される。アプリケーション処理機能としては、例えば、外部入出力部１６０を制御することで対向機器とデータ通信を行う赤外線通信機能や、電子メールの送受信を行う電子メール機能、及びウェブページを閲覧するウェブブラウジング機能の他、本発明に係る薬剤管理システムを利用するための機能などがある。本発明に係る薬剤管理システムを利用するための機能は、クラウドサーバ１０又は薬剤管理システム１を運営する事業所のサイト等から対応するアプリケーションソフトウェア（以下、「薬剤管理プログラム」という）をダウンロードすることにより実現することができる。
【０１７８】
また、主制御部１０１は、受信データやダウンロードしたストリーミングデータなどの画像データ（静止画像や動画像のデータ）に基づいて、映像を表示入力部１２０に表示する等の画像処理機能を備える。
【０１７９】
更に、主制御部１０１は、表示パネル１２１に対する表示制御と、操作部１４０や操作パネル１２２を通じたユーザ操作を検出する操作検出制御とを実行する。
【０１８０】
表示制御の実行により、主制御部１０１は、薬剤管理プログラム等のアプリケーションソフトウェアを起動するためのアイコンや、スクロールバーなどのソフトウェアキーを表示したり、或いは電子メールを作成するためのウィンドウを表示する。尚、スクロールバーとは、表示パネル１２１の表示領域に収まりきれない大きな画像などについて、画像の表示部分を移動する指示を受け付けるためのソフトウェアキーのことをいう。
【０１８１】
また、操作検出制御の実行により、主制御部１０１は、操作部１４０を通じたユーザ操作を検出したり、操作パネル１２２を通じて、上記アイコンに対する操作や、上記ウィンドウの入力欄に対する文字列の入力を受け付けたり、或いはスクロールバーを通じた表示画像のスクロール要求を受け付ける。
【０１８２】
更に、操作検出制御の実行により主制御部１０１は、操作パネル１２２に対する操作位置が、表示パネル１２１に重なる重畳部分（表示領域）に該当するか、或いはそれ以外の表示パネル１２１に重ならない外縁部分（非表示領域）に該当するかを判定し、操作パネル１２２の感応領域やソフトウェアキーの表示位置を制御するタッチパネル制御機能を備える。
【０１８３】
また、主制御部１０１は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組み合わせて、複数の位置から少なくとも１つについて軌跡を描く操作を意味する。
【０１８４】
カメラ部１４１は、主制御部１０１の制御により、撮像によって得た画像データを例えばＪＰＥＧ（Joint Photographic Experts Group）などの圧縮した画像データに変換し、その画像データを記憶部１５０に記録したり、外部入出力部１６０や無線通信部１１０を通じて出力したりすることができる。図１６に示すようにクライアント端末１００において、カメラ部１４１は表示入力部１２０と同じ面に搭載されているが、カメラ部１４１の搭載位置はこれに限らず、表示入力部１２０が設けられる筐体１０２の表面ではなく筐体１０２の背面にカメラ部１４１が搭載されてもよいし、或いは複数のカメラ部１４１が筐体１０２に搭載されてもよい。尚、複数のカメラ部１４１が搭載されている場合には、撮像に供するカメラ部１４１を切り替えて単独のカメラ部１４１によって撮像が行われてもよいし、或いは複数のカメラ部１４１を同時に使用して撮像が行われてもよい。
【０１８５】
また、カメラ部１４１はクライアント端末１００の各種機能に利用することができる。例えば、カメラ部１４１で取得した画像が表示パネル１２１に表示されてもよいし、操作パネル１２２の操作入力手法の一つとして、カメラ部１４１で撮像取得される画像が利用されてもよく、本例では、分包袋に付加されたユニークＩＤを示すバーコード（一次元バーコード又は二次元バーコード）の読み取りに利用される。また、ＧＰＳ受信部１７０が位置を検出する際に、カメラ部１４１からの画像が参照されて位置が検出されてもよい。更には、カメラ部１４１からの画像が参照されて、３軸の加速度センサを用いずに、或いは、３軸の加速度センサと併用して、クライアント端末１００のカメラ部１４１の光軸方向を判断することや、現在の使用環境を判断することもできる。勿論、カメラ部１４１からの画像をアプリケーションソフトウェア内で利用することもできる。
【０１８６】
その他、ＧＰＳ受信部１７０により取得された位置情報、マイクロホン１３２により取得された音声情報（主制御部等により、音声テキスト変換を行ってテキスト情報となっていてもよい）、及びモーションセンサ部１８０により取得された姿勢情報等などを静止画又は動画の画像データに付加して得られるデータを、記憶部１５０に記録したり、外部入出力部１６０や無線通信部１１０を通じて出力したりすることもできる。
【０１８７】
［分包薬の薬剤情報の取得方法］
病院の看護師が、入院患者に対して処方された薬剤が分包された分包薬を服用時期（朝食後、夕食後等）毎に配薬する場合、あるいは介護老人保健施設の配薬担当者が、介護老人保健施設に入居している入居者に分包薬を服用時期毎に配薬する場合に、配薬する分包薬が服用者のものか否かを確認する必要がある。
【０１８８】
このとき、分包袋に名前が印字されていない場合には、配薬する分包薬が服用者のものか否かを分包袋により確認することができず、また、分包袋に名前が印字されていても同じ名前の複数の服用者がいる場合には、分包薬の配薬ミスが発生し得る。
【０１８９】
また、分包袋に収納された分包薬の薬種等を確認したい場合があるが、分包袋に薬種等の情報が印字されていない場合には、分包薬の薬種等を薬剤の形状、刻印等からは容易に確認することはできない。
【０１９０】
また、この種の確認は、看護師、配薬担当者に限らず、服用者自身やその家族でも確認したい場合がある。更に飲み残しの分包薬がある場合、その分包薬の薬種等の薬剤情報を確認したい場合がある。例えば、病院を変えた結果、残薬となった分包薬を次の病院に持参することがある。次の病院の医師や薬剤師は、残薬となった分包薬（いままでに服用していた薬剤）の薬剤情報を確認したり、また、残薬となった分包薬を継続して服用することができるかどうかを判断することとなるが、一包化された分包薬の薬種等の薬剤情報は、薬剤の形状、刻印等からは容易に確認することができない。
【０１９１】
これに対し、分包薬を一包ずつ一元管理する薬剤管理システム１を利用することにより、看護師、配薬担当者、服用者、薬剤師及び医師等は、分包薬の薬剤情報等を簡単に入手することができる。
【０１９２】
図１８は、分包薬の薬剤情報の取得方法の実施形態を示すフローチャートである。以下、病院の看護師が、入院患者に対して分包薬を配薬する場合について説明する。
【０１９３】
看護師は、自分のクライアント端末１００の薬剤管理プログラムを起動し、薬剤管理システム１の利用（アクセス）を可能にする（ステップＳ１００）。
【０１９４】
看護師は、入院患者に配薬する分包薬が収納された分包袋に付加されたバーコードを、クライアント端末１００の情報読取部として機能するカメラ部１４１により撮像し、バーコード（バーコードが示すユニークＩＤ）の読み取りを行わせる（ステップＳ１０２）。クライアント端末１００により読み取られたユニークＩＤは、薬剤管理プログラムにしたがって分包薬の薬剤情報等の取得要求とともに、クライアント端末１００に送信される（ステップＳ１０４）。
【０１９５】
分包薬の薬剤情報等の取得要求とともにユニークＩＤを受信したクラウドサーバ１０は、受信したユニークＩＤに基づいて薬剤管理ＤＢを検索し、ユニークＩＤに関連付けて管理されている分包薬の薬剤情報を取得する（ステップＳ１０６）。尚、薬剤情報の他に、処方年月日、患者情報、服用時期等の処方データの取得も可能である。
【０１９６】
クラウドサーバ１０は、ユニークＩＤに基づいて取得した薬剤情報等を、要求元のクライアント端末１００に送信する（ステップＳ１０８）。
【０１９７】
クライアント端末１００の薬剤情報取得部として機能する主制御部１０１及び無線通信部１１０は、薬剤管理プログラムにしたがってクラウドサーバ１０から分包薬の薬剤情報等を受信（取得）し、クライアント端末１００の表示パネル１２１に表示させる（ステップＳ１１０）。これにより、看護師は、配薬する分包薬の薬剤情報、服用する患者情報等を確認することができる。
【０１９８】
また、図１８には図示されていないが、患者認識用リストバンド又は患者のベッドに付されている患者ＩＤをクライアント端末１００で読み取り、患者ＩＤにより院内サーバで管理されている患者情報を院内ＬＡＮを介して取得し、クラウドサーバ１０から取得した患者情報と、患者認識用リストバンド等に付された患者ＩＤに基づいて取得した患者情報とを照合することが可能である。これにより、看護師による分包薬の配薬を支援することができる。即ち、クライアント端末１００を使用して患者のリストバンド、看護師のネームプレート、及び楽剤ラベルを読みとる、いわゆる「三点認証」により投薬ミスと投薬履歴を管理する管理システムが存在するが、この場合、楽剤ラベルを読み取る代わりに、分包袋に付されたユニークＩＤを示すバーコードを読み取ることができる。
【０１９９】
また、クラウドサーバ１０は、図示しない認証サーバと連携し、クラウドサーバ１０にアクセスするクライアント端末１００のユーザ（アクセス者）に対して、分包薬の情報に閲覧制限を設けることが可能である。例えば、医師又は薬剤師の場合は、ユニークＩＤに関連付けて登録された分包薬の薬剤情報の他に、患者情報、病院情報又は薬局情報の閲覧を可能にし、服用者は、薬剤情報及び処方年月日の閲覧を可能にし、個人情報の閲覧を制限（自分自身の情報は許可）することができる。尚、医師又は薬剤師の認証は、例えば、医療従事者に発行されているHPKI（Healthcare Public Key Infrastructure）等の医療ＩＤカードを使用して行うことができ、これにより「なりすまし」を回避することができる。
【０２００】
更に、一つ以上の施設（薬局）２０の薬剤師は、ユニークＩＤに関連付けて分包薬の薬剤情報等をクラウドサーバ１０にアップロードする際に、例えば、HPKIカードを使って電子署名することで、アップロードした薬剤情報等を証明できるようにすることが好ましい。
【０２０１】
［その他］
本実施形態では、クラウドサーバ１０内に設けられた記憶部１４に薬剤管理ＤＢを構築するようにしたが、これに限らず、一つ以上の施設（薬局）２０のＰＣ（personal computer）の記憶部に薬剤管理ＤＢ（例えば、その施設により一包化された分包薬に関する薬剤管理ＤＢ）を構築し、クラウドサーバ１０が、一つ以上の施設に分散した薬剤管理ＤＢを１つの薬剤管理ＤＢとして取り扱うことができる分散型ＤＢとしてもよい。
【０２０２】
また、本システムは、電子カルテ、臨床検査値、検査画像等をネットワークで結んだシステム、地域医療連携や介護連携など、他のクラウドストレージサービスシステムとデータ連携して、相互にデータを提供できるようにしてもよい。
【０２０３】
更に、本実施形態では、ユニーク識別情報又はユニーク識別情報を示すバーコードを分包袋に印字し、ユニーク識別情報もしくはユニーク識別情報を示すバーコードを印字したラベルを分包袋に貼付するようにしたが、これに限らず、分包袋に付加された（埋め込まれた）電子タグにユニーク識別情報を記録するようにしてもよい。この場合、電子タグは、メモリエリアに一度だけ書込み（ユニーク識別情報の書込み）ができ、その後はメモリの読み取りのみが可能なタイプであることが好ましい。
【０２０４】
また、本実施形態において、例えば、クラウドサーバ１０のＣＰＵ１２、薬剤分包装置２２−１のＣＰＵ２２Ａ、薬剤分包監査装置２２−２のＣＰＵ２２Ａ、薬剤監査部２２Ｆ、発番部２２Ｇの各処理部のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０２０５】
１つの処理部は、これら各種のプロセッサのうちの１つで構成されていてもよいし、同種または異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。更に、これらの各種のプロセッサのハードウェア的な構造は、より具体的には、半導体素子などの回路素子を組み合わせた電気回路（circuitry）である。
【０２０６】
また、本実施形態では、クライアント端末１００としてスマートフォンを例に説明したが、これに限らず、例えば、タブレット端末、携帯情報端末等を使用することができる。
【０２０７】
更に、本発明は上述した実施形態に限定されず、本発明の精神を逸脱しない範囲で種々の変形が可能であることは言うまでもない。
【符号の説明】
【０２０８】
１  薬剤管理システム
２  ネットワーク
１０  クラウドサーバ
１２、２２Ａ、２２Ａ−１  ＣＰＵ
１４  記憶部
１６  発番サーバ
１８  通信部
２０  一つ以上の施設（薬局）
２２−１  薬剤分包装置
２２−２  薬剤分包監査装置
２２−３  薬剤分包装置向け発番装置（発番装置）
２２−４  薬剤分包装置
２２−５  一包化薬剤監査装置
２２Ｂ  薬剤分包部
２２Ｃ，２２Ｃ−１，２２Ｃ−２  通信部
２２Ｄ  ラベルプリンタ
２２Ｅ  撮像部
２２Ｆ  薬剤監査部
２２Ｇ  発番部
２２Ｈ  プリンタ
２２Ｉ  表示部
２２Ｊ  操作部
２４  レセプトコンピュータ
２６  ＬＡＮ
４０、４０−２  ラベル
４２、４２−２  文字情報
４４  バーコード
４４−２  二次元バーコード
４６、４６−２  患者名
４７、４７−２  服用時期
４８、４８−２  薬剤文字情報
５０、５０−２  分包袋
５２、５２−２  薬剤
１００  クライアント端末
１０１  主制御部
１０２  筐体
１１０  無線通信部
１２０  表示入力部
１２１  表示パネル
１２２  操作パネル
１３０  通話部
１３１  スピーカ
１３２  マイクロホン
１４０  操作部
１４１  カメラ部
１５０  記憶部
１５１  内部記憶部
１５２  外部記憶部
１６０  外部入出力部
１７０  ＧＰＳ受信部
１８０  モーションセンサ部
１９０  電源部
Ｓ１０〜Ｓ１１０  ステップ
【図１】
2018221167.tif 000003
【図２】
2018221167.tif 000004
【図３】
2018221167.tif 000005
【図４】
2018221167.tif 000006
【図５】
2018221167.tif 000007
【図６】
2018221167.tif 000008
【図７】
2018221167.tif 000009
【図８】
2018221167.tif 000010
【図９】
2018221167.tif 000011
【図１０】
2018221167.tif 000012
【図１１】
2018221167.tif 000013
【図１２】
2018221167.tif 000014
【図１３】
2018221167.tif 000015
【図１４】
2018221167.tif 000016
【図１５】
2018221167.tif 000017
【図１６】
2018221167.tif 000018
【図１７】
2018221167.tif 000019
【図１８】
2018221167.tif 000020
【手続補正書】
【提出日】令和1年11月27日(2019.11.27)
【手続補正１】
【補正対象書類名】明細書
【補正対象項目名】００５７
【補正方法】変更
【補正の内容】
【００５７】
また、発番サーバ１６により発番される、分包薬を一包ずつ一意に特定するユニークＩＤは、世界で唯一のＩＤであり、発番サーバ１６は、例えば、発番要求元の一つ以上の施設２０に設置されている薬剤分包装置２２−１（図４）を一意に特定する製品ＩＤと、製品ＩＤに対応する薬剤分包装置２２−１により一包化される分包薬の個数の連続番号とを組み合わせて、ユニークＩＤを発番することができる。また、製品ＩＤとタイムスタンプとを組み合わせてユニークＩＤを発番することができる。尚、このようなユニークＩＤの発番を行う場合、発番要求元の一つ以上の施設２０は、発番要求時に製品ＩＤをクラウドサーバ１０に通知する必要がある。
【手続補正２】
【補正対象書類名】明細書
【補正対象項目名】０１９４
【補正方法】変更
【補正の内容】
【０１９４】
看護師は、入院患者に配薬する分包薬が収納された分包袋に付加されたバーコードを、クライアント端末１００の情報読取部として機能するカメラ部１４１により撮像し、バーコード（バーコードが示すユニークＩＤ）の読み取りを行わせる（ステップＳ１０２）。クライアント端末１００により読み取られたユニークＩＤは、薬剤管理プログラムにしたがって分包薬の薬剤情報等の取得要求とともに、クラウドサーバ１０に送信される（ステップＳ１０４）。
【手続補正３】
【補正対象書類名】明細書
【補正対象項目名】０１９８
【補正方法】変更
【補正の内容】
【０１９８】
また、図１８には図示されていないが、患者認識用リストバンド又は患者のベッドに付されている患者ＩＤをクライアント端末１００で読み取り、患者ＩＤにより院内サーバで管理されている患者情報を院内ＬＡＮを介して取得し、クラウドサーバ１０から取得した患者情報と、患者認識用リストバンド等に付された患者ＩＤに基づいて取得した患者情報とを照合することが可能である。これにより、看護師による分包薬の配薬を支援することができる。即ち、クライアント端末１００を使用して患者のリストバンド、看護師のネームプレート、及び薬剤ラベルを読みとる、いわゆる「三点認証」により投薬ミスと投薬履歴を管理する管理システムが存在するが、この場合、薬剤ラベルを読み取る代わりに、分包袋に付されたユニークＩＤを示すバーコードを読み取ることができる。
【国際調査報告】
2018221167.tif 000021
2018221167.tif 000022
2018221167.tif 000023